(57)【要約】【課題】能力過不足の根拠となる客観的なデータを得ることができる能力診断データ記録装置を供給することを目的とする。【解決手段】運転時間積算部３１２ｂは圧縮機３２１が運転している運転積算時間Ｔ０を積算する。サーモオフ回数測定部３１２ｃは、空調制御の対象となる空間の温度が所定の範囲を逸脱したことをもって圧縮機３２１が停止したサーモオフ回数を測定する。単位回数運転時間算出部３１２ｄは、運転積算時間Ｔ０の、サーモオフ回数の１回当たりの長さを算出して、不揮発性メモリ３１３に記録する。【選択図】図２
2009168314.tif 000002
【特許請求の範囲】
【請求項１】
空気調和動作を行うために冷媒を圧縮する圧縮機（３２１）が運転している期間を、積算する運転時間積算部（３１２ｂ）と、
前記空気調和動作の対象となる空間の温度が所定範囲を逸脱したことに起因して前記圧縮機が停止した回数を測定する停止回数測定部（３１２ｃ）と、
積算された前記期間の、前記回数の１回あたりの長さが記録される不揮発性記録媒体（３１３）と
を備える、能力診断データ記録装置。
【請求項２】
請求項１に記載の前記能力診断データ記録装置と、
前記圧縮機と
を備える、空気調和機。
【請求項３】
前記長さが所定値よりも長いときに、前記空気調和機の能力が不足している可能性がある旨を表示する表示部（１３，５１）を
更に備える、請求項２に記載の空気調和機。
【請求項４】
前記長さが所定値よりも短いときに、前記空気調和機の能力が過多である可能性がある旨を表示する表示部（１３，５１）を
更に備える、請求項２に記載の空気調和機。
【請求項５】
（ａ）空気調和動作を行うために冷媒を圧縮する圧縮機（３２１）が運転している期間を、積算するステップと、
（ｂ）前記空気調和動作の対象となる空間の温度が所定範囲を逸脱しことに起因して前記圧縮機が停止した回数を測定するステップと、
（ｃ）前記ステップ（ａ）及び前記ステップ（ｂ）の実行後に、積算された前記期間の、前記回数の１回あたりの長さを算出するステップと
を実行する、能力診断データ算出方法。
【請求項６】
前記ステップ（ｃ）において、積算された前記期間が前記回数で除算されて前記長さが求められる、請求項５に記載の能力診断データ算出方法。
【請求項７】
（ｄ）前記ステップ（ｃ）の実行後に、前記長さが所定値よりも長いときに、前記圧縮機の能力が不足している可能性がある旨を表示部（１３，５１）に表示するステップ
を更に実行する、請求項５又は６に記載の能力診断データ算出方法。
【請求項８】
（ｄ）前記ステップ（ｃ）の実行後に、前記長さが所定値よりも短いときに、前記圧縮機の能力が過多である可能性がある旨を表示部（１３，５１）に表示するステップ
を更に実行する、請求項５又は６に記載の能力診断データ算出方法。
【請求項９】
（ｅ）前記ステップ（ａ）の実行後に、前記期間が第２所定値よりも長いにも拘わらず、前記回数がゼロであることを以って、前記圧縮機の能力が不足している可能性がある旨を表示部（１３,５１）に表示するステップ
を更に実行する、請求項５又は６に記載の能力診断データ算出方法。
【発明の詳細な説明】
【技術分野】
【０００１】
本発明は、能力診断データ記録装置及び空気調和機及び能力診断データ算出方法に関し、例えば空気調和機についての能力に関する。
【背景技術】
【０００２】
空気調和機は空調制御の対象である空間に対して温度などを調整する。そして、空気調和機が当該空間に対して適切に空調制御を行わない場合、その原因を特定する必要がある。
【０００３】
その原因は多種に渡り、例えば当該空間の空調負荷に対して空気調和機の能力が過多である場合、若しくは不足している場合がある。このような空気調和機の能力過不足は、当該空間の広さや熱源（人など）の有無等を勘案して判断される。
【０００４】
なお、本発明に関連する技術として特許文献１が開示されている。
【０００５】
【特許文献１】特開２００７−１０７８７１号公報
【発明の開示】
【発明が解決しようとする課題】
【０００６】
しかしながら、ユーザに対して空気調和機の能力が過多であること、若しくは不足していることを説明するに際して、能力過不足の根拠となる客観的なデータがなく、説得力に欠けていた。
【０００７】
そこで、本発明は、能力過不足の根拠となる客観的なデータを得ることができる能力診断データ記録装置を提供することを目的とする。
【課題を解決するための手段】
【０００８】
本発明に係る能力診断データ記録装置の第１の態様は、空気調和動作を行うために冷媒を圧縮する圧縮機（３２１）が運転している期間を、積算する運転時間積算部（３１２ｂ）と、前記空気調和動作の対象となる空間の温度が所定範囲を逸脱したことに起因して前記圧縮機が停止した回数を測定する停止回数測定部（３１２ｃ）と、積算された前記期間の、前記回数の１回あたりの長さが記録される不揮発性記録媒体（３１３）とを備える。
【０００９】
本発明に係る空気調和機の第１の態様は、第１の態様に係る前記能力診断データ記録装置と、前記圧縮機とを備える。
【００１０】
本発明に係る空気調和機の第２の態様は、第１の態様に係る空気調和機であって、前記長さが所定値よりも長いときに、前記空気調和機の能力が不足している可能性がある旨を表示する表示部（１３，５１）を更に備える。
【００１１】
本発明に係る空気調和機の第３の態様は、第１の態様に係る空気調和機であって、前記長さが所定値よりも短いときに、前記空気調和機の能力が過多である可能性がある旨を表示する表示部（１３，５１）を更に備える。
【００１２】
本発明に係る能力診断データ算出方法の第１の態様は、（ａ）空気調和動作を行うために冷媒を圧縮する圧縮機（３２１）が運転している期間を、積算するステップと、（ｂ）前記空気調和動作の対象となる空間の温度が所定範囲を逸脱しことに起因して前記圧縮機が停止した回数を測定するステップと、（ｃ）前記ステップ（ａ）及び前記ステップ（ｂ）の実行後に、積算された前記期間の、前記回数の１回あたりの長さを算出するステップとを実行する。
【００１３】
本発明に係る能力診断データ算出方法の第２の態様は、第１の態様に係る能力診断データ算出方法であって、前記ステップ（ｃ）において、積算された前記期間が前記回数で除算されて前記長さが求められる。
【００１４】
本発明に係る能力診断データ算出方法の第３の態様は、第１又は第２の態様に係る能力診断データ算出方法であって、（ｄ）前記ステップ（ｃ）の実行後に、前記長さが所定値よりも長いときに、前記圧縮機の能力が不足している可能性がある旨を表示部（１３，５１）に表示するステップを更に実行する。
【００１５】
本発明に係る能力診断データ算出方法の第４の態様は、第１又は第２の態様に係る能力診断データ算出方法であって、（ｄ）前記ステップ（ｃ）の実行後に、前記長さが所定値よりも短いときに、前記圧縮機の能力が過多である可能性がある旨を表示部（１３，５１）に表示するステップを更に実行する。
【００１６】
本発明に係る能力診断データ算出方法の第５の態様は、第１又は第２の態様に係る能力診断データ算出方法であって、（ｅ）前記ステップ（ａ）の実行後に、前記期間が第２所定値よりも長いにも拘わらず、前記回数がゼロであることを以って、前記圧縮機の能力が不足している可能性がある旨を表示部（１３,５１）に表示するステップを更に実行する。
【発明の効果】
【００１７】
本発明に係る能力診断データ記録装置の第１の態様によれば、所望の空気調和動作に対する圧縮機能力の過不足についての客観的なデータを得ることができる。
【００１８】
本発明に係る空気調和機の第１の態様によれば、空気調和機の能力が、空調負荷に対して不足しているかどうかの根拠となる客観的なデータを得ることができる。
【００１９】
本発明に係る空気調和機の第２の態様によれば、表示部を視認することで、ユーザが空気調和機の能力が不足している可能性について認識でき、以って速やかな対策を採ることができる。
【００２０】
本発明に係る空気調和機の第３の態様によれば、表示部を視認することで、ユーザが空気調和機の能力が過多である可能性について認識でき、以って速やかな対策を採ることができる。
【００２１】
本発明に係る能力診断データ算出方法の第１の態様によれば、所望の空気調和動作に対する圧縮機能力の過不足についての客観的なデータを得ることができる。
【００２２】
本発明に係る能力診断データ算出方法の第２の態様によれば、簡易な演算で停止回数１回当たりでの、圧縮機が運転された期間の長さを得ることができる。
【００２３】
本発明に係る能力診断データ算出方法の第３及び第５の態様によれば、表示部を視認することで、ユーザが圧縮機、ひいては空気調和機の能力が不足している可能性について認識でき、以って速やかな対策を採ることができる。
【００２４】
本発明に係る能力診断データ算出方法の第４の態様によれば、表示部を視認することで、ユーザが圧縮機、ひいては空気調和機の能力が過多である可能性について認識でき、以って速やかな対策を採ることができる。
【発明を実施するための最良の形態】
【００２５】
第１の実施の形態．
図１は空気調和機の一例の概念的な構成を示している。本空気調和機はリモートコントローラ（以下、リモコンと呼ぶ）１と、室内機２と、室外機３とを備えている。リモコン１，室内機２，室外機３は相互に通信可能である。室内機２及び室外機３は、図示せぬ冷媒回路を有している。室内機２及び室外機３は、ユーザによるリモコン１への操作入力に基づいて、図示せぬ冷媒回路に冷媒を循環させて当該冷媒の潜熱を利用して室内の温度を調整する。このような空調制御は公知な構成によって実現されるので、空調制御に関する詳細な説明は割愛する。なお、このような公知な構成は例えば特開２００７−２９２４２９号公報を参照してもよい。
【００２６】
図２は、図１に示す空気調和機の内部構成の一例の概念的な構成を示している。
【００２７】
室外機３は、電気要素部３１と、機械要素部３２とを備えている。機械要素部３２は、圧縮機３２１やファン３２２などを備えている。電気要素部３１は、通信部３１１と、マイクロコンピュータ（以下、マイコンと呼ぶ）３１２と、不揮発性メモリ３１３とを備えている。通信部３１１、マイコン３１２、不揮発性メモリ３１３は例えばプリント基板上に設けられる。
【００２８】
室内機２は通信部２１と、マイコン２２とを備えている。
【００２９】
リモコン１は、通信部１１と、マイコン１２と、表示部１３と、操作部１４とを備えている。
【００３０】
通信部３１１は室内機２と通信可能である。通信部２１はリモコン１、室外機３とそれぞれ通信可能である。通信部１１は室内機２と通信可能である。
【００３１】
操作部１４は例えば冷房運転と暖房運転とを選択するボタン、室内の温度を設定するボタン、運転を停止するボタン等を有している。そして、ユーザが操作部１４を操作して、例えば冷房運転を指定し、室内の温度を設定すると、マイコン１２は通信部１１を介して、冷房運転指令及び設定された設定温度を室内機２に送信する。
【００３２】
通信部２１を介して冷房運転指令及び設定温度を受け取ったマイコン２２は、通信部２１を介して、当該冷房運転指令及び設定温度を室外機３に送信する。そして、室内機２及び室外機３は冷房運転を実行して室内の温度を設定温度へと近づける。なお、暖房運転の場合も同様である。
【００３３】
不揮発性メモリ３１３は例えばＥＥＰＲＯＭ（Electronically Erasable and Programmable ROM）である。不揮発性メモリ３１３には、例えば圧縮機３２１を駆動させる際の周波数の複数が予め記録されている。
【００３４】
マイコン３１２は、圧縮機指令部３１２ａと、運転時間積算部３１２ｂと、サーモオフ回数測定部３１２ｃと、単位回数運転時間算出部３１２ｄとを備えている。
【００３５】
圧縮機指令部３１２ａは例えば設定温度と室内温度との差に基づいて、例えば不揮発性メモリ３１３に記録された周波数を選択して圧縮機３２１へと指令信号を出力する。圧縮機３２１は当該指令信号に基づいた能力で圧縮動作を行って冷媒を圧縮する。当該圧縮動作は例えば、図示しないモータの回転によって実現される。この場合、圧縮機の能力は当該モータの回転数として把握することができる。当該能力は、圧縮機の運転周波数の増大とともに増大する。
【００３６】
また、圧縮機指令部３１２ａは空気調和動作の対象となる空間（室内）の温度が所定範囲を逸脱したことに起因して圧縮機３２１を停止させる。より具体的には、冷房運転に際して、室内の温度が設定温度よりも所定値低い値を下回ったときに、圧縮機３２１を停止させる。また、暖房運転に際して、室内の温度が設定温度よりも所定値高い値を超えたときに、圧縮機３２１を停止させる。このような圧縮機停止機能は一般的にサーモオフ機能と呼ばれている。
【００３７】
運転時間積算部３１２ｂは圧縮機が運転している運転積算時間Ｔ０を積算する。運転時間積算部３１２ｂは例えば圧縮機指令部３１２ａから指令信号を受け取ることで圧縮機３２１の運転の開始、停止を認識でき、図示せぬタイマー回路を用いて圧縮機３２１の運転積算時間Ｔ０を積算する。
【００３８】
サーモオフ回数測定部３１２ｃは、室内の温度が所定範囲を逸脱したこと（冷房運転に即して言えば、室内の温度が冷房設定温度よりも所定値低い値を下回ったこと：暖房運転に即して言えば、室内の温度が暖房設定温度よりも所定値高い値を超えたこと）に起因して圧縮機３２１が停止した回数（以下、サーモオフ回数Ｎとも呼ぶ）を測定する。具体的には、例えば圧縮機指令部３１２ａから、サーモオフ機能に基づいて圧縮機３２１を停止する旨の通知を受けて、当該通知の回数を測定する。
【００３９】
単位回数運転時間算出部３１２ｄは、運転積算時間Ｔ０の、サーモオフ回数Ｎの一回あたりの長さＬを算出する。そして、算出した長さＬを不揮発性メモリ３１３に記録する。
【００４０】
なお、運転時間積算部３１２ｂの機能と、サーモオフ回数測定部３１２ｃの機能と、単位回数運転時間算出部３１２ｄの機能は、マイコン３１２が例えば不揮発性メモリ３１３に予め記録されたプログラムを読取ることで実現されてもよく、また、ハードウェアで実現されてもよい。
【００４１】
続いて、本空気調和機の動作について、冷房運転を例に挙げて説明する。まず、ユーザが操作部１４を操作して、冷房運転を選択し、設定温度を入力する。
【００４２】
次に、マイコン１２が当該冷房運転指令及び設定温度を、通信部１１を介して室内機２に送信する。通信部２１を介して冷房運転指令及び設定温度を受け取ったマイコン２２は、通信部２１を介して冷房運転指令及び設定温度を室外機３に送信する。通信部３１１を介して冷房運転指令及び設定温度を受け取ったマイコン３１２は室内機２とともに当該信号に基づいて冷房運転を開始し、室内温度を設定温度に近づける。
【００４３】
このとき、圧縮機指令部３１２ａは圧縮機３２１へと指令信号を出力し、圧縮機３２１の運転を開始する。運転時間積算部３１２ｂは、圧縮機３２１の運転開始に伴って圧縮機３２１の運転積算時間Ｔ０を積算する。
【００４４】
本空気調和機の空調動作によって、室内温度が設定温度へと近づく。そして、室内温度が、設定温度より所定値低い値を下回ったときに、圧縮機指令部３１２ａは圧縮機３２１を停止させる。このとき、運転時間積算部３１２ｂは運転積算時間Ｔ０の積算を停止する。また、サーモオフ回数測定部３１２ｃは、例えば圧縮機指令部３１２ａからサーモオフ機能に基づいて圧縮機３２１を停止させる旨の通知を受け取って、サーモオフ回数Ｎに１をインクリメントする。なお、サーモオフ回数Ｎの初期値はゼロである。
【００４５】
単位回数運転時間算出部３１２ｄは、運転時間積算部３１２ｂが積算した運転積算時間Ｔ０の、サーモオフ回数Ｎの一回あたりの長さＬを算出する。具体的には、運転積算時間Ｔ０をサーモオフ回数Ｎで除算して長さＬを算出する。そして、長さＬを不揮発性メモリ３１３に記録する。
【００４６】
次に、圧縮機３２１の停止によって室内温度が上昇し、例えば設定温度を超えたときに、圧縮機指令部３１２ａは例えば設定温度と室内温度の差に基づいて圧縮機３２１に指令信号を出力して、圧縮機３２１の運転を再開する。このとき、運転時間積算部３１２ｂは運転積算時間Ｔ０の積算を再開する。
【００４７】
以降は、サーモオフ機能に基づいて圧縮機３２１を停止させるたびに、運転時間積算部３１２ｂ、サーモオフ回数測定部３１２ｃ、単位回数運転時間算出部３１２ｄが上記動作を実行する。なお、単位回数運転時間算出部３１２ｄは、サーモオフ機能によって圧縮機３２１が停止するたびに、長さＬを算出する必要はない。例えばユーザが操作部１４のうち運転を停止させるボタンを押下したことを以って、長さＬを算出して不揮発性メモリ３１３に記録してもよい。また、一定時間ごとに長さＬを算出して不揮発性メモリ３１３に記録しても良い。但し、サーモオフ回数Ｎがゼロのとき、長さＬは算出されない。
【００４８】
上述した動作によって、不揮発性メモリ３１３に、運転積算時間Ｔ０の、サーモオフ回数Ｎの１回当たりの長さＬが記録される。そして、例えば、室内の空調負荷に対して、圧縮機３２１の能力（例えば定格能力）、ひいては空気調和機の能力（例えば定格冷房能力）が大きい場合、サーモオフ機能によって圧縮機３２１が停止する頻度が大きくなる。つまり、長さＬが短くなる。逆に、室内の空調負荷に対して圧縮機の能力、ひいては空気調和機の能力が小さい場合、サーモオフ機能によって圧縮機３２１が停止する頻度が小さくなる。つまり長さＬが長くなる。なお、圧縮機の能力と空気調和機の能力は、正の相関関係にあるので、以下の説明では代表的に空気調和機の能力として説明するが、圧縮機の能力と読み替えても構わない。
【００４９】
従って、作業員が不揮発性メモリ３１３に記録された当該長さＬを読み出すことで、空調負荷に対する空気調和機の能力の過不足の根拠となる客観的なデータ（長さＬ）を得ることができる。よって、例えば空調負荷に対して空気調和機の能力の過不足をユーザに説明するに際して、客観的なデータに基づいて説明できる。
【００５０】
なお、空調負荷に対して空気調和機の能力が非常に小さい場合、サーモオフ回数Ｎがゼロを維持する場合がある。このような場合は、例えば運転時間積算部３１２ｂが不揮発性メモリ３１３に運転積算時間Ｔ０を記録し、当該運転積算時間Ｔ０が所定の値を超えているにも拘わらず、不揮発性メモリ３１３に長さＬが記録されていないことを以って、空気調和機の能力が不足していると判断してもよい。なお、運転積算時間Ｔ０が所定の値を超えていることを条件としているのは、次の理由に依る。即ち、空調制御において、室内温度が設定温度に対して一定の範囲内に収束するまでは、サーモオフ機能によって圧縮機３２１が停止しないからである。
【００５１】
なお、運転時間積算部３１２ｂは圧縮機３２１の運転積算時間Ｔ０を積算するとして説明しているがこれに限らず、運転積算時間Ｔ０として空気調和機の運転積算時間を積算してもよい。
【００５２】
また、本実施の形態においては、空気調和機の能力過不足の可能性をユーザに通知することができる。以下、具体的に説明する。
【００５３】
単位回数運転時間算出部３１２ｄは、算出した長さＬが第１所定値（例えば１２０秒）よりも短いか否かを判断する。そして、短いと判断したときに、通信部３１１を介して室内機２へとその旨の通知を送信する。
【００５４】
通信部２１を介して当該通知を受け取ったマイコン２２は、通信部２１を介して当該通知をリモコン１へと送信する。
【００５５】
通信部１１を介して当該通知を受け取ったマイコン１２は、空調負荷に対して空気調和機の能力が過多である可能性がある旨を表示部１３に表示する。
【００５６】
また、単位回数運転時間算出部３１２ｄは、算出した長さＬが第２所定値（例えば１０分）より長いか否かを判断する。そして、長いと判断したときに、通信部３１１を介してその旨の通知を送信する。なお、運転時間積算部３１２ｂが積算した運転積算時間Ｔ０が第３所定値（例えば６０分）を超えているにも拘わらずサーモオフ回数Ｎがゼロであることを以って、当該通知を送信してもよい。
【００５７】
通信部２１を介して当該通知を受け取ったマイコン２２は、通信部２１を介して当該通知をリモコン１へと送信する。
【００５８】
通信部１１を介して当該通知を受け取ったマイコン１２は、空調負荷に対して空気調和機の能力が不足している可能性がある旨を表示部１３に表示する。
【００５９】
従って、ユーザは、リモコン１の表示部１３を視認することによって、空調負荷に対して空気調和機の能力が過多である可能性及び不足している可能性について認識でき、速やかな対応を採ることができる。
【００６０】
なお、運転時間積算部３１２ｂの機能、サーモオフ回数測定部３１２ｃの機能、単位回数運転時間算出部３１２ｄの機能は、必ずしも室外機３に設けられている必要はなく、いずれもが室外機３、室内機２、リモコン１の何れかに設けられていればよい。例えば、室内機２のマイコン２２がこれらを備えているときは、室外機３（より具体的にはマイコン３１２）が例えばサーモオフ機能によって圧縮機３２１を停止させる旨の通知と、圧縮機３２１の運転開始及び終了とを、通信部３１１を介して室内機２に送信すればよい。
【００６１】
図３は空気調和機の他の一例の概念的な構成を示している。図１に示す空気調和機と比較して、本空気調和機はサーバ４と情報端末５とを更に備えている。サーバ４は例えばＬＡＮ、ＷＡＮ、インターネット回線等を介して室内機２と通信可能に設けられている。情報端末５は、例えばインターネット回線やメール回線を介してサーバ４と通信可能に設けられている。また、情報端末５は表示部５１を備えている。このようなサーバ４は例えばビルの管理センターなどに設けられている。情報端末５は例えばパソコン、携帯電話、ＰＤＡなどである。この情報端末５は例えば本空気調和機を利用しているユーザが使用する。
【００６２】
リモコン１、室外機３の内部構成は図２に示す構成と同一である。但し通信部２１はサーバ４とも通信可能である。
【００６３】
このような構成の空気調和機において、室内機２（より具体的にはマイコン２２）は空調負荷に対して空気調和機の能力が過多である可能性及び不足している可能性がある旨の通知を、通信部２１を介してサーバ４に送信する。そして、サーバ４は、当該通知を例えばメール等によって情報端末５に送信する。当該通知を受け取った情報端末５は、空調負荷に対して空気調和機の能力が過多である可能性及び不足している可能性がある旨を表示部５１に表示する。
【００６４】
これによって、情報端末５の表示部５１を視認することでユーザに対して、空調負荷に対して空気調和機の能力が過多である可能性及び不足している可能性を通知できる。よって、迅速な対応を促すことができる。
【図面の簡単な説明】
【００６５】
【図１】空気調和機の一例の概念的な構成を示す図である。
【図２】図１に示す空気調和機の概念的な内部構成の一例を示す図である。
【図３】空気調和機の他の一例の概念的な構成を示す図である。
【符号の説明】
【００６６】
１３，５１  表示部
３１２ｂ  運転時間積算部
３１２ｃ  サーモオフ回数測定部
３１２ｄ  単位回数運転時間算出部
３２１  圧縮機
【図１】
2009168314.tif 000003
【図２】
2009168314.tif 000004
【図３】
2009168314.tif 000005